(57)【特許請求の範囲】
【請求項１】
マイク前面ケースとマイク胴体ケースとが周囲を少なくとも接着剤を介して接着されて外装パッケージを構成し、当該外装パッケージを防水型の携帯端末装置の筐体の音孔部分に両面テープにて固定し、当該外装パッケージと当該筐体との間の止水を行う携帯端末装置に使用する防水マイクの構造であって、
前記筐体の音孔部分に固定される前記マイク前面ケースの平面サイズを前記マイク胴体ケースの平面サイズより拡大し、前記両面テープの貼付領域を拡大し、
前記マイク前面ケース形状において、前記マイク前面ケースに設けられた集音孔側及び両サイド２辺の形状を拡大することを特徴とする防水マイク構造。
【請求項２】
マイク前面ケースとマイク胴体ケースとが周囲を少なくとも接着剤を介して接着されて外装パッケージを構成し、当該外装パッケージを防水型の携帯端末装置の筐体の音孔部分に両面テープにて固定し、当該外装パッケージと当該筐体との間の止水を行う携帯端末装置に使用する防水マイクの構造であって、
前記筐体の音孔部分に固定される前記マイク前面ケースの平面サイズを前記マイク胴体ケースの平面サイズより拡大し、前記両面テープの貼付領域を拡大し、
前記マイク前面ケース形状において、前記マイク前面ケースに設けられた集音孔側のみ形状を拡大することを特徴とする防水マイク構造。
【請求項３】
マイク前面ケースとマイク胴体ケースとが周囲を少なくとも接着剤を介して接着されて外装パッケージを構成し、当該外装パッケージを防水型の携帯端末装置の筐体の音孔部分に両面テープにて固定し、当該外装パッケージと当該筐体との間の止水を行う携帯端末装置に使用する防水マイクの構造であって、
前記筐体の音孔部分に固定される前記マイク前面ケースの平面サイズを前記マイク胴体ケースの平面サイズより拡大し、前記両面テープの貼付領域を拡大し、
前記マイク前面ケース形状において、前記マイク前面ケースに設けられた集音孔と対向する辺側を拡大しかつ前記集音孔を拡大した分だけ中央側にシフトすることを特徴とする防水マイク構造。
【請求項４】
前記マイク前面ケース形状において、拡大辺をＣ面形状及びＲ面形状のいずれかの形状に拡大することを特徴とする請求項１から請求項３のいずれか記載の防水マイク構造。
【請求項５】
前記マイク前面ケース形状において、拡大した領域を周辺部品の搭載領域にすることを特徴とする請求項１から請求項３のいずれか記載の防水マイク構造。
【請求項６】
上記の請求項１から請求項５のいずれかに記載の構造の防水マイクを搭載したことを特徴とする防水型の携帯端末装置。
【発明の詳細な説明】
【技術分野】
【０００１】
本発明は防水マイク構造及びそれを用いた防水型の携帯端末装置に関し、特に携帯端末機における防水対応化に関する。
【背景技術】
【０００２】
近年、携帯端末機においては、高機能化及び端末の小型薄型化と合わせて、防水対応化の要求が強い。携帯電話等では、通話や報知機能として、レシーバやスピーカやマイク等の音響部品を使用しており、近年の防水端末化に伴い、音響部品単体で防水対応化が実現できてきている。
【０００３】
但し、防水端末機の筐体には、各音響部品部において、防水有無に関わらず、放音孔や集音孔が必要となり、そこからの水の浸入を確実に防ぐ必要がある。例えば、下記の特許文献１の図５に記載されているマイク実装では、防水マイクではないが、前面ケース部周囲に両面テープを貼付して固定している構造を採用している。
【０００４】
防水端末機の場合、固定用両面テープに求められる性能は、音響性能確保のための密閉空間確保の目的以外に筐体音孔から浸入した水がマイクの外を伝わって端末機筐体内に浸水しないような止水性能を確保することが必要となる。防水端末機に要求される防水耐性にもよるが、上記の音響性能確保のための密閉に対して、止水性能確保の方がより両面テープによる密閉を強化する必要がある。
【０００５】
近年の小型化が進んだマイクでは、止水性能を得るための両面テープ固定領域の確保が困難である。その他、下記の特許文献２の図１に記載されている防水マイクでは、防水マイク周囲にゴムホルダを囲んで防水化を行う構造を採用している。
【先行技術文献】
【特許文献】
【０００６】
【特許文献１】特開２００８−１９９２２５号公報
【特許文献２】特開２００６−０４１８６４号公報
【発明の概要】
【発明が解決しようとする課題】
【０００７】
近年の携帯端末機は、防水対応が進んでいる。端末機に使用している音響デバイスも部品単体での防水対応化が可能となってきている。例えば、レシーバやスピーカにおいては、振動板とフレーム間に防水対応の接着材を塗布することで防水化を実現し、マイクは前面ケース内部に止水用の防水フィルムを取り付けて防水化を実現した製品が存在している。レシーバ部やスピーカ部は、筐体側に音を放出するための放音孔が必要であり、またマイク部も音を集音するための集音孔が必要となる。
【０００８】
携帯端末機が浸水した場合、端末機の筐体音孔から水が浸入するため、浸水した水が筐体内部まで浸入しないように止水する必要がある。部品単体で防水対応しているデバイスを使用する場合、弾力性を持ったゴムホルダ等を部品に装着して筐体実装時にゴムを十分圧縮することで止水を行う方法や部品前面部に止水用の両面テープを貼付して止水を行う方法が一般的である。
【０００９】
但し、前者の方法ではゴムホルダを部品に被せる必要があるため、ゴムホルダ分、実装領域が拡大してしまい、近年の携帯端末機の小型化には妨げになる。逆に後者の方法では、前面の両面テープ固定と止水を兼ねることができ、実装やコスト面でメリットが大きい。
【００１０】
上記の両面テープによる止水の場合、レシーバやスピーカは、平面サイズがある程度大きいため、両面テープ貼付領域が比較的確保し易いのに対して、マイクは部品自体が小型であるため、音孔部を囲む両面テープの貼付領域が確保し難いという課題がある。
【００１１】
また、最近では、接続性、実装性、取扱い性の面から基板に直接搭載することができるリフローマイクが主流であり、更なる小型化が進んできている。さらに、上記のリフローマイクの場合、基板へ自動搭載するために、自動機で吸着する必要があるが、その際、部品中央部を吸着した方が安定するため、マイク前面に設置された集音孔は部品中央部からオフセットされた部品端位置に設置していることが通常である。これにより、集音孔を囲むように止水用両面テープを貼付する場合、両面テープの貼付領域が確保できない。
【００１２】
止水用の両面テープは、通常、内部に気泡が存在する発泡基材のものを使用することが多く、貼付幅が小さい場合、気泡同士が繋がり、リークが発生する可能性があり、確実な防水性能［例えば、防水規格ＩＰｘ５（あらゆる方向からの噴流水による影響がない規格）やＩＰｘ７（一時的に一定水圧の条件に水没しても内部に浸水することがない規格）］を満足するためには、一般的な数値として、貼付幅は最低１．５ｍｍ程度は必要とされている。
【００１３】
次に、図１４（ａ）〜（ｄ）に示すように、本発明に関連する防水マイクについて説明する。例えば、本発明に関連する防水マイクでは、図１５（ａ）〜（ｃ）に示すように、小型マイクを使用した場合、集音孔側の止水用両面テープ領域が上記数値を確保できないために、防水保証を落とす必要があったり、両面テープ貼付領域が確保できる大きなマイクを使用する必要がある。
【００１４】
また、図１６（ａ）に示すように、小型マイク使用の場合は、マイク横に後付けパーツ９を貼付することで、両面テープ領域を確保したり、図１６（ｂ）に示すように、ゴムホルダ１０をマイクに被せることで対応する等、実装サイズへのインパクトが大きくなり、小型マイクが採用し難い等の課題がある。
【００１５】
そこで、本発明の目的は上記の問題点を解消し、止水用両面テープの貼付領域をより大きく確保することができ、防水性能を高めることができる防水マイク構造及びそれを用いた防水型の携帯端末装置を提供することにある。
【課題を解決するための手段】
【００１６】
本発明による防水マイク構造は、マイク前面ケースとマイク胴体ケースとが周囲を少なくとも接着剤を介して接着されて外装パッケージを構成し、当該外装パッケージを防水型の携帯端末装置の筐体の音孔部分に両面テープにて固定し、当該外装パッケージと当該筐体との間の止水を行う携帯端末装置に使用する防水マイクの構造であって、
前記筐体の音孔部分に固定される前記マイク前面ケースの平面サイズを前記マイク胴体ケースの平面サイズより拡大し、前記両面テープの貼付領域を拡大し、
前記マイク前面ケース形状において、前記マイク前面ケースに設けられた集音孔側及び両サイド２辺の形状を拡大することを特徴とする。
本発明による別の防水マイク構造は、マイク前面ケースとマイク胴体ケースとが周囲を少なくとも接着剤を介して接着されて外装パッケージを構成し、当該外装パッケージを防水型の携帯端末装置の筐体の音孔部分に両面テープにて固定し、当該外装パッケージと当該筐体との間の止水を行う携帯端末装置に使用する防水マイクの構造であって、
前記筐体の音孔部分に固定される前記マイク前面ケースの平面サイズを前記マイク胴体ケースの平面サイズより拡大し、前記両面テープの貼付領域を拡大し、
前記マイク前面ケース形状において、前記マイク前面ケースに設けられた集音孔側のみ形状を拡大することを特徴とする。
本発明による更に別の防水マイク構造は、マイク前面ケースとマイク胴体ケースとが周囲を少なくとも接着剤を介して接着されて外装パッケージを構成し、当該外装パッケージを防水型の携帯端末装置の筐体の音孔部分に両面テープにて固定し、当該外装パッケージと当該筐体との間の止水を行う携帯端末装置に使用する防水マイクの構造であって、
前記筐体の音孔部分に固定される前記マイク前面ケースの平面サイズを前記マイク胴体ケースの平面サイズより拡大し、前記両面テープの貼付領域を拡大し、
前記マイク前面ケース形状において、前記マイク前面ケースに設けられた集音孔と対向する辺側を拡大しかつ前記集音孔を拡大した分だけ中央側にシフトすることを特徴とする。
【００１７】
本発明による防水型の携帯端末装置は、上記に記載の構造の防水マイクを搭載したことを特徴とする。
【発明の効果】
【００１８】
本発明は、上記のような構成及び動作とすることで、止水用両面テープの貼付領域をより大きく確保することができ、防水性能を高めることができるという効果が得られる。
【図面の簡単な説明】
【００１９】
【図１】（ａ）は本発明の第１の実施の形態による防水マイクの斜視図、（ｂ）は本発明の第１の実施の形態による防水マイクに両面テープを貼付した際の正面図、（ｃ）は本発明の第１の実施の形態による防水携帯端末機への防水マイクの実装形態を示す断面図である。
【図２】（ａ）〜（ｃ）は本発明の第１の実施の形態による止水用両面テープ幅を説明するための図である。
【図３】本発明の第１の実施の形態による防水マイクの周辺部品の実装例を示す図である。
【図４】（ａ）は本発明の第２の実施の形態による防水マイクの斜視図、（ｂ）は本発明の第２の実施の形態による防水マイクに両面テープを貼付した際の正面図、（ｃ）は本発明の第２の実施の形態による防水携帯端末機への防水マイクの実装形態を示す断面図である。
【図５】（ａ）〜（ｃ）は本発明の第２の実施の形態による止水用両面テープ幅を説明するための図である。
【図６】（ａ）は本発明の第３の実施の形態による防水マイクの斜視図、（ｂ）は本発明の第３の実施の形態による防水マイクに両面テープを貼付した際の正面図、（ｃ）は本発明の第３の実施の形態による防水携帯端末機への防水マイクの実装形態を示す断面図である。
【図７】（ａ）〜（ｃ）は本発明の第３の実施の形態による止水用両面テープ幅を説明するための図である。
【図８】本発明の第３の実施の形態による防水マイクの形状の一例を示す図である。
【図９】本発明の第３の実施の形態による防水マイクの形状の他の例を示す図である。
【図１０】本発明の第３の実施の形態による防水マイクの周辺部品の実装例を示す図である。
【図１１】（ａ）は本発明の第４の実施の形態による防水マイクの斜視図、（ｂ）は本発明の第４の実施の形態による防水マイクに両面テープを貼付した際の正面図、（ｃ）は本発明の第４の実施の形態による防水携帯端末機への防水マイクの実装形態を示す断面図である。
【図１２】（ａ）〜（ｃ）は本発明の第４の実施の形態による止水用両面テープ幅を説明するための図である。
【図１３】本発明の第４の実施の形態による防水マイクの形状の一例を示す図である。
【図１４】（ａ）は本発明に関連する防水マイクの斜視図、（ｂ）は本発明に関連する防水マイクに両面テープを貼付した際の正面図、（ｃ）は本発明に関連する防水携帯端末機への防水マイクの実装形態を示す断面図、（ｄ）は本発明に関連する防水マイクの周辺部品の実装例を示す図である。
【図１５】（ａ）〜（ｃ）は本発明に関連する止水用両面テープ幅を説明するための図である。
【図１６】（ａ）は本発明に関連する防水携帯端末機への防水マイクの第１の実装例を示す図、（ｂ）は本発明に関連する防水携帯端末機への防水マイクの第２の実装例を示す図である。
【発明を実施するための形態】
【００２０】
次に、本発明の実施の形態について図面を参照して説明する。まず、本発明による防水マイクの概要について説明する。本発明は、防水携帯端末機（防水型の携帯端末装置）の防水マイクにおいて、防水マイクの前面ケース形状を変更することで、止水目的のためにマイク前面に貼付する両面テープの領域の拡大を図っている。これにより、本発明は、防水携帯端末機の筐体と防水マイクとの間の止水を確実にできるようにしたことを特徴とする。
【００２１】
図１（ａ）は本発明の第１の実施の形態による防水マイクの斜視図、図１（ｂ）は本発明の第１の実施の形態による防水マイクに両面テープを貼付した際の正面図、図１（ｃ）は本発明の第１の実施の形態による防水携帯端末機への防水マイクの実装形態を示す断面図である。
【００２２】
図２（ａ）〜（ｃ）は本発明の第１の実施の形態による止水用両面テープ幅を説明するための図であり、図３は本発明の第１の実施の形態による防水マイクの周辺部品の実装例を示す図である。これら図１〜図３を参照して本発明の第１の実施の形態について説明する。
【００２３】
図１（ａ）に示すように、防水マイクの外装パッケージは、マイク前面ケース部１及びマイク胴体ケース部３から構成され、マイク前面ケース部１には、集音孔２が設けられている。マイク前面ケース部１は、マイク胴体ケース部３よりも平面サイズを拡大している。
【００２４】
図１（ｂ）は図１（ａ）をマイク前面ケース部１の面から見た図である。図１（ａ）に示すマイク前面ケース部１には、端末機の固定及び止水のために、止水用両面テープ４が集音孔２を囲む形で貼付されている。本実施の形態では、マイク前面ケース部１の平面サイズを拡大することで、集音孔２の周囲の領域が拡大されるため、止水用両面テープ４の貼付領域も拡大することが可能となる。
【００２５】
図１（ｃ）には防水携帯端末機の筐体に防水マイクを実装した時の図を示す。防水マイクはマイク前面ケース部１に貼付された止水用両面テープ４によって防水端末機の筐体７に貼り付けて固定を行う。
【００２６】
このように、本実施の形態では、マイク前面ケース部１を拡大することで、集音孔２の周辺の領域を拡大し、止水用両面テープ４の貼付領域の確保を容易にすることにより、確実な防水性を得ることできる。
【００２７】
本実施の形態による防水マイク構造においては、マイク前面ケース部１のケース形状を拡大することで、止水用両面テープ４の貼付領域の確保を図っている。
【００２８】
上記の図１（ａ）を参照すると、本発明の第１の実施の形態として、防水マイクの斜視図が示されている。部品単体で防水性能を有している防水マイクの外装パッケージは、マイク前面ケース部１及びマイク胴体ケース部３で構成されている。マイク胴体ケース部３は箱型形状をしており、マイク前面ケース部１とは周囲を接着剤等を介して接着された構造となっている。
【００２９】
マイク前面ケース部１は、マイク胴体ケース部３よりも平面サイズを大きくなるように、縦横サイズを拡大した設計としている。ここで、マイク前面ケース部１には、音を拾うための集音孔２が設置されている。一般的に、集音孔２は、マイク自動搭載時に吸着ノズルで音孔を塞がないよう部品中心部を避け、マイク前面ケース部１の中央から端側にオフセットした位置に設置する必要がある。
【００３０】
図１（ｂ）は、本実施の形態による防水マイクをマイク前面ケース部１側（集音孔面）から見た図である。防水携帯端末機に防水マイクを実装するにあたり、止水、筐体固定、音響密閉の目的でマイク前面ケース部１に止水用両面テープ４を貼付している。止水用両面テープ４は、集音孔２を囲むように貼付されている。
【００３１】
図１（ｃ）に本実施の形態による防水マイクを防水携帯端末機の筐体に実装した時の断面図を示す。防水マイクは、防水携帯端末機の筐体７に止水用両面テープ４を介して固定される。筐体７には、集音用の筐体音孔８が設置されており、本音孔は、止水用両面テープ４の開口内に位置するように、筐体音孔８もしくは防水マイクの実装位置を調整している。
【００３２】
防水携帯端末機が浸水した場合、筐体音孔８へ浸水することになるが、止水用両面テープ４によって防水マイク外部には漏れない。尚、マイク単体は防水品を使用しているため、集音孔２への浸水はない、もしくは、仮に浸水してもマイク性能としては問題ないデバイスを使用している。
【００３３】
このように、本実施の形態では、マイク前面ケース部１の平面サイズを拡大することで、集音孔２周囲の領域も拡大可能となり、止水用両面テープ４の貼付領域を十分確保することができる。これによって、本実施の形態では、確実な防水性能を得ることが可能となる。また、本実施の形態では、止水用両面テープ４の貼付領域が拡大することにより、防水マイクに止水用両面テープ４を後貼りする工程において、作業性の向上も見込める。
【００３４】
さらに、本発明の第１の実施の形態について説明する。図１（ａ）を参照すると、本発明の第１の実施の形態としての防水携帯端末機の防水マイクが示されている。防水マイクの外装パッケージは、大きく分けて、マイク前面ケース部１及びマイク胴体ケース部３から構成され、両者は接着剤にて固定されている。
【００３５】
マイク前面ケース部１は、マイク胴体ケース部３よりも平面サイズを縦横４辺において拡大している。胴体ケース部３の内部は、内部基板を含んだ箱型の形状となっており、箱内部には、ダイヤフラムや増幅用の集積回路が実装されているのが一般的である。
【００３６】
マイク音響特性を確保するためには、確実に密閉（音漏れしない）空間とする必要があるため、マイク前面ケース部１とマイク胴体ケース部３とは周囲を接着剤等を介して接着されたパッケージとなっている。防水マイクの内部構成及びケース接着手法については、公知の技術であり、また本発明とは直接関係しない部分のため、その詳細な構成の説明は省略する。
【００３７】
マイク前面ケース部１には、集音のための集音孔２が設置されている。防水マイクを基板に自動搭載する際に、吸着エリアを確保する必要があるため、吸着エリア（部品中央部）を避けた位置に集音孔２を配置する必要がある。一般的に、集音孔２は、吸着エリア（部品中央部）を避けたマイク前面ケース部１の端側の位置に設置する必要がある。これは集音孔２を吸着してしまうと、防水マイク内部に実装してあるダイヤフラムが破壊されてしまうためである。
【００３８】
図１（ｂ）は、本実施の形態による防水マイクをマイク前面ケース部１側（集音孔２面）から見た図である。防水携帯端末機に防水マイクを実装するにあたり、止水、筐体固定、音響密閉の目的でマイク前面ケース部１に止水用両面テープ４を貼付している。止水用両面テープ４は、集音孔２を囲むように貼付されている。
【００３９】
図１（ｃ）に示すとおり、防水マイクを装置へ実装する場合は、マイク前面ケース部１の集音孔２の周囲に、止水用両面テープ４を貼付して、防水携帯端末機の筐体７に防水マイクの固定を行うとともに、防水化を図っている。
【００４０】
防水携帯端末機が浸水した場合は、防水端末機の筐体音孔８から水が浸入するが、マイク前面ケース部１に貼付した止水用両面テープ４によって、止水用両面テープ４の開口内で止水され、防水マイク外には漏れない。尚、マイク単体は防水マイクを使用しているため、マイク前面ケース部１に設けてある集音孔２への浸水はない。もしくは、防水マイクが、浸水してもマイク性能には問題ないデバイスとなっている。
【００４１】
図２（ａ）〜（ｃ）に示すとおり、マイク前面ケース部１は、マイク胴体ケース部３よりも平面サイズを縦横４辺において拡大しており、集音孔２からマイク前面ケース部１端までの領域Ａ，Ｂは、上述した本発明に関連する防水マイクよりも大きく確保することができる。例えば、本発明に関連する防水マイクは、図１４（ａ）に示すように、マイク胴体ケース部３とマイク前面ケース部９１とのサイズが同じサイズで構成されているのが通常である。
【００４２】
今回、マイク前面ケース部１を、マイク胴体ケース部３よりも平面サイズで横方向にｘ（ｍｍ）、縦方向にｙ（ｍｍ）拡大したとする。ここで、本発明に関連する防水マイクの集音孔２の周辺に貼付可能な止水用両面テープ４の横方向、縦方向の貼付可能幅を図１５（ａ）〜（ｃ）に示すように、それぞれａ（ｍｍ）、ｂ（ｍｍ）とした場合、本発明の防水マイクの場合は、マイク前面ケース部１の拡大によって、横方向、縦方向にそれぞれｘ（ｍｍ）、ｙ（ｍｍ）拡大しているため、止水用両面テープ４の貼付領域は拡大し、横方向の貼付可能幅ｃ（ｍｍ）はａ（ｍｍ）＋ｘ（ｍｍ）、縦方向の貼付可能幅ｄ（ｍｍ）はｂ（ｍｍ）＋ｙ（ｍｍ）確保できる。
【００４３】
これによって、本実施の形態では、上述した本発明に関連する防水マイクよりもそれぞれ、拡大したｘ（ｍｍ）、ｙ（ｍｍ）分の貼付幅拡大が見込める。これは集音孔２と対向する辺についても同様である。尚、先に説明したとおり、集音孔２は、自動搭載時の吸着エリア確保の関係上、マイク前面ケース部１端に音孔が配置されているため、本実施の形態でも、集音孔２の位置を、マイク前面ケース部１の拡大前の位置と同位置に設置している。
【００４４】
止水用両面テープ４は、一般の両面テープよりも粘着力が高く、発泡材のものが一般的である。発泡材の両面テープは内部に気泡が存在しており、貼付領域幅が狭い場合、内部の気泡が繋がり防水性能が損なわれる可能性がある。貼付幅が広く取れれば、気泡が繋がる確率は減少するため、貼付幅は重要となる。
【００４５】
通常、防水携帯端末機等で保証している防水性能規格ＩＰｘ５やＩＰｘ７を満足するためには、一般的数値として、最低１．５ｍｍ程度の止水用両面テープ幅を確保する必要があると言われている。
【００４６】
上述した図２（ａ）〜（ｃ）で説明したとおり、マイク前面ケース部１の平面サイズをｘ（ｍｍ）、ｙ（ｍｍ）分、拡大することによって、止水用両面テープ幅ｃ（ｍｍ）、ｄ（ｍｍ）は、上記目安の１．５ｍｍ以上の貼付幅を確保することができ、確実な防水性能を得ることができる。
【００４７】
尚、ｘ（ｍｍ）及びｙ（ｍｍ）は使用マイクサイズによって異なるため、任意の設計とし、貼付領域の確保ができれば、マイク前面ケース部１のサイズの拡大は減少させることが可能である。勿論、対向する辺のｘ値についても防水マイクや止水用両面テ−プ４の貼付幅の設定により変更可能である。また、止水用両面テープ４の今後の性能アップ次第では、貼付幅の縮小も可能である。
【００４８】
本実施の形態では、止水用両面テープ４の領域確保のため、マイク前面ケース部１を拡大していることから、マイク平面サイズは上述した本発明に関連する防水マイクよりも大きくなってしまう。但し、拡大しているのはマイク前面蓋のみであるため、マイク胴体部に限っては上述した本発明に関連する防水マイクと同一サイズで実現可能である。
【００４９】
また、図３に示すように、マイク近傍には低背のチップ部品５が実装されるケースが多いため、今回拡大したマイク前面ケース部１の拡大領域内に実装することで、拡大した領域を有効活用することもできる。
【００５０】
本実施の形態では、防水マイク前面ケース部１を拡大することで、止水用両面テープ４の貼付領域をより大きく確保することができ、防水性能を高めることが可能となる。また、本実施の形態では、拡大したマイク前面ケース部１の拡大領域内に周辺のチップ部品５を実装することで、拡大した領域を有効活用することもできる。
【００５１】
上記の実施の形態において、マイク前面ケース部１の拡大方法を変えた構成を、本発明の第２の実施の形態として図４（ａ）に示す。
【００５２】
図４（ａ）は本発明の第２の実施の形態による防水マイクの斜視図、図４（ｂ）は本発明の第２の実施の形態による防水マイクに両面テープを貼付した際の正面図、図４（ｃ）は本発明の第２の実施の形態による防水携帯端末機への防水マイクの実装形態を示す断面図である。
【００５３】
図５（ａ）〜（ｃ）は本発明の第２の実施の形態による止水用両面テープ幅を説明するための図である。これら図４及び図５を参照して本発明の第２の実施の形態について説明する。
【００５４】
本発明の第２の実施の形態は、上記の本発明の第１の実施の形態からマイク前面ケース部の平面サイズ拡大箇所を４辺から３辺としている。マイク前面ケース部２１は、マイク胴体ケース部３の平面サイズに対して、集音孔２側の３辺のみを拡大し、集音孔２と対向側の１辺については拡大しない。
【００５５】
上記の本発明の第１の実施の形態と同様に、マイク前面ケース部２１に設置された集音孔２は、搭載時の吸着の制約上、マイク前面ケース部２１の端側の位置に設置されているため、集音孔２と対向側の辺については、止水用両面テープ２４の貼付領域が集音孔２側に比べ広い。このため、使用するマイクサイズによっては、集音孔２と対向側の辺を拡大しなくとも、止水用両面テープ２４の貼付領域を十分確保することができる。
【００５６】
図４（ｂ）及び図５（ａ）〜（ｃ）は、本実施の形態による防水マイクのマイク前面ケース部２１に止水用両面テープ２４を貼付した状態を示している。集音孔２周辺のマイク前面ケース部２１のサイズは、本発明の第１の実施の形態と同様であるため、集音孔２周辺の止水用両面テープ２４の貼付幅は、本発明の第１の実施の形態で説明した図２（ａ）〜（ｃ）と同一のｃ（ｍｍ）及びｄ（ｍｍ）を確保可能であることが分かる。
【００５７】
また、マイク前面ケース部２１の拡大を４辺から３辺にしたことで、本発明の第１の実施の形態と比較して、部品の小型化を図ることができる。尚、ｘ（ｍｍ）及びｙ（ｍｍ）は使用マイクサイズ（マイク胴体ケース部３のサイズ）によって異なるため、任意の設計とし、止水用両面テープ２４の貼付領域を確保することができれば、マイク前面ケース部２１のサイズの拡大を減少させることが可能である。さらに、止水用両面テープ２４の今後の性能アップ次第では、貼付幅の縮小も可能である。
【００５８】
本発明の第３の実施の形態として、マイク前面ケース部のサイズの拡大領域を４辺から１辺とした実施の形態について説明する。
【００５９】
図６（ａ）は本発明の第３の実施の形態による防水マイクの斜視図、図６（ｂ）は本発明の第３の実施の形態による防水マイクに両面テープを貼付した際の正面図、図６（ｃ）は本発明の第３の実施の形態による防水携帯端末機への防水マイクの実装形態を示す断面図である。
【００６０】
図７（ａ）〜（ｃ）は本発明の第３の実施の形態による止水用両面テープ幅を説明するための図であり、図８（ａ），（ｂ）は本発明の第３の実施の形態による防水マイクの形状の一例を示す図であり、図９（ａ），（ｂ）は本発明の第３の実施の形態による防水マイクの形状の他の例を示す図である。
【００６１】
図１０は本発明の第３の実施の形態による防水マイクの周辺部品の実装例を示す図である。これら図６〜図１０を参照して本発明の第３の実施の形態について説明する。
【００６２】
図６（ａ）において、マイク前面ケース部３１は、マイク胴体ケース部３の平面サイズに対して、集音孔２側の１辺のみを拡大している。集音孔２と対向側及び両サイド側２辺については拡大しない。
【００６３】
図６（ｂ）及び図７（ａ）〜（ｃ）は、本実施の形態による防水マイクのマイク前面ケース部３１に止水用両面テープ３４を貼付した状態を示している。本発明の第３の実施の形態は、本発明の第１の実施の形態と同様に、マイク前面ケース部３１に設置された集音孔２が、マイク前面ケース部３１の端側の位置に設置されている。
【００６４】
例えば、コストや部品調達性の関係で、大きめの部品サイズのマイクを使用する場合があるが、その場合、マイク前面ケース部３１を拡大しなくても、止水用両面テープ３４の貼付領域幅は、止水のために有効な１．５ｍｍ以上の貼付幅ｅ（ｍｍ）部を確保することができ、上述した本発明に関連する防水マイクのマイク前面ケース部を拡大しなくても十分な止水性能が得られることも考えられる。その場合は、集音孔２側の１辺のみをｘ（ｍｍ）拡大することで、十分な止水性能が得られる貼付幅を確保することができる。
【００６５】
また、マイク前面ケース部３１の拡大する辺の形状を、図８（ａ），（ｂ）に示すように、両端Ｃカットしたり、図９（ａ），（ｂ）に示すように、Ｒ形状にすることで、マイク前面ケース部３１の拡大量を縮小化することが可能となる。
【００６６】
さらに、図９（ａ），（ｂ）に示すようなマイク前面ケース部の形状にすることで、止水用両面テープ３４は真円形状にできるため、後工程で止水用両面テープ３４を貼付する際に、貼付方向を無視できるメリットもある。
【００６７】
本発明の第４の実施の形態として、本発明の第３の実施の形態の変形例として、マイク前面ケース部の拡大箇所を集音孔と対向側とにした場合の実施例について説明する。
【００６８】
図１１（ａ）は本発明の第４の実施の形態による防水マイクの斜視図、図１１（ｂ）は本発明の第４の実施の形態による防水マイクに両面テープを貼付した際の正面図、図１１（ｃ）は本発明の第４の実施の形態による防水携帯端末機への防水マイクの実装形態を示す断面図である。
【００６９】
図１２（ａ）〜（ｃ）は本発明の第４の実施の形態による止水用両面テープ幅を説明するための図であり、図１３は本発明の第４の実施の形態による防水マイクの形状の一例を示す図である。これら図１１〜図１３を参照して本発明の第４の実施の形態について説明する。
【００７０】
図１１（ａ）に本実施の形態による防水マイクの斜視図を示す。マイク前面ケース部４１は、集音孔２の対向側の辺のみを拡大している。また、マイク前面ケース部４１に設けている集音孔２は、マイク前面ケース部４１で、サイズ拡大した分だけ中央側にシフトした位置に設置する。
【００７１】
上述した説明のとおり、集音孔２は、部品搭載時の吸着エリアを確保するためにマイク前面ケース部４１の端側の位置に配置されているが、集音孔２と対向側の辺のケースサイズを拡大しているため、上述した本発明に関連する防水マイクと同一の位置に集音孔がある場合、吸着エリアが拡大することになる。
【００７２】
図１１（ｂ）及び図１２（ａ）〜（ｃ）に止水用両面テープ４４を貼付した状態の正面図を示す。マイク前面ケース部４１において、集音孔２と対向側の辺を平面サイズｘ（ｍｍ）拡大した場合、吸着可能領域がｘ（ｍｍ）拡大するため、集音孔２は、上述した本発明に関連する防水マイクの集音孔の位置よりも中央側にｘ（ｍｍ）移動しても、吸着エリアは本発明に関連する防水マイクと同一量確保することができる。
【００７３】
図１５（ａ）〜（ｃ）に上述した本発明に関連する防水マイクの正面図を示しているが、集音孔２からマイク前面ケース部９１の端辺まので距離をＷとした場合、本実施の形態による防水マイクでは、Ｗ（ｍｍ）＋ｘ（ｍｍ）＝Ｖ（ｍｍ）の位置まで中央側に集音孔２をシフトした設計が可能になる。
【００７４】
これによって、本実施の形態では、止水用両面テープ４４の幅が、本発明の第３の実施の形態と同様に、ｃ（ｍｍ）≧１．５ｍｍを確保することができ、部品サイズ拡大量を最小限にしつつ、止水用両面テープ４４の貼付幅を確保し、十分な止水性能を確保することが可能となる。
【００７５】
マイク前面ケース部４１の拡大に合わせて、集音孔２を移動する類似例として、図１３（ａ），（ｂ）に示すように、マイク前面ケース部７１の両端２辺を円弧上に拡大して、それぞれの端辺の拡大分だけ、集音孔２を中央側にシフトすることで、同様に部品サイズを縮小化することができる。
【００７６】
また、この場合、一辺あたりのマイク前面ケース部７１の拡大量を少なくすることができるため、マイク前面ケース部７１の強度が得られない場合は、強度面でも有利となる。本発明での形状は一例であり、図４（ａ）、図８（ａ），（ｂ）、図９（ａ），（ｂ）等に示す形状においても適用することができる。
【００７７】
上述した本発明の第２〜第４の実施の形態においては、マイク前面ケース部の拡大量が任意であり、止水性能の確保のための止水用両面テープの幅を確保することができるように、防水マイクのマイク前面ケース部の形状設計を行えば良い。先に述べたとおり、止水用両面テープの今後の性能アップ次第では、貼付幅の縮小も可能である。
【００７８】
また、本発明の第２〜第４の実施の形態では、本発明の第１の実施の形態と同様に、マイク前面ケース部の拡大領域内に周辺チップ部品を実装することで、拡大した領域を有効活用することも可能である。例として、図１０に本発明の第３の実施の形態による実装例を示している。
【産業上の利用可能性】
【００７９】
本発明は、防水携帯電話機や防水タブレットＰＣ（パーソナルコンピュータ）、防水デジタルカメラ等の防水マイクを用いる防水型の携帯端末装置に適用可能である。
【符号の説明】
【００８０】
１，２１，３１，４１，
５１，６１，７１  マイク前面ケース部
２  集音孔
３  マイク胴体ケース部
４，２４，３４，４４，
５４，６４，７４  止水用両面テープ
５  周辺チップ部品
６  基板
７  防水携帯端末機の筐体
８  防水携帯端末機の筐体音孔
【図１】
0005545767.tif 000002
【図２】
0005545767.tif 000003
【図３】
0005545767.tif 000004
【図４】
0005545767.tif 000005
【図５】
0005545767.tif 000006
【図６】
0005545767.tif 000007
【図７】
0005545767.tif 000008
【図８】
0005545767.tif 000009
【図９】
0005545767.tif 000010
【図１０】
0005545767.tif 000011
【図１１】
0005545767.tif 000012
【図１２】
0005545767.tif 000013
【図１３】
0005545767.tif 000014
【図１４】
0005545767.tif 000015
【図１５】
0005545767.tif 000016
【図１６】
0005545767.tif 000017